(57)【特許請求の範囲】
【請求項１】
柱状物の外側面に沿って移動するクローラ型走行装置であって、
無限軌道となるように環状に形成される履帯と、前記履帯を周回させる駆動手段と、前記履帯に前記柱状物の外側面に当接可能な向きで取り付けられる複数の吸着手段とを有するとともに、前記柱状物を挟んで配置される一対のクローラ部と、
前記クローラ部を前記柱状物に所定の力以上で押し付ける力を付与するとともに前記一対のクローラ部の側面間をそれぞれ連結する連結部と、
前記柱状物を囲繞するレール部を有するとともに前記一対のクローラ部に支持される架台部とを備え、
前記連結部は、２枚の長板を開閉軸によって回動自在に連結することで開閉可能となるＸ字状の本体部と、前記開閉軸の両側で前記本体部の開閉に合わせて伸縮するように付勢された状態で取り付けられるバネとを有するとともに、前記長板の一端は前記クローラ部の側面に固着され、かつ他端は前記クローラ部の側面に上下方向の位置を相対的に変化させることが可能な可動取付部によって接続されることを特徴とするクローラ型走行装置。
【請求項２】
前記吸着手段は、吸着パッドと、その吸着パッドの空気を吸引する個別の真空ポンプとを有することを特徴とする請求項１に記載のクローラ型走行装置。
【請求項３】
前記クローラ部には、前記吸着手段が前記柱状物の外側面に当接する位置に周回してきたときに、前記吸着手段が前記外側面から離間する方向への移動を制限するとともに、前記外側面と略平行な移動を誘導する反力ガイド部が設けられていることを特徴とする請求項１又は２に記載のクローラ型走行装置。
【請求項４】
前記クローラ部には、前記吸着手段が前記柱状物の外側面に当接する側に周回する際に、前記履帯の周回方向への回転よりも前記吸着手段の回転を促進させる接地角度調整機構が設けられていることを特徴とする請求項１乃至３のいずれか一項に記載のクローラ型走行装置。
【請求項５】
前記レール部の側面に当接される旋回用車輪を有する旋回駆動部と、前記旋回駆動部に取り付けられて前記レール部に沿って移動する旋回ユニットとを備えたことを特徴とする請求項１乃至４のいずれか一項に記載のクローラ型走行装置。
【請求項６】
前記旋回ユニットは、帯状の繊維シートに水硬性樹脂を含浸又は塗布して乾燥させることで形成された補強シートが装着される装着部と、前記装着部から引き出された前記補強シートの両面に給水をおこなう給水部と、前記給水部を通過した前記補強シートを前記柱状物の外側面に押し付ける押付けローラとを有することを特徴とする請求項５に記載のクローラ型走行装置。
【請求項７】
前記旋回ユニットは、前記柱状物の外側面を撮影可能な撮像装置を有することを特徴とする請求項５又は６に記載のクローラ型走行装置。
【請求項８】
前記レール部を把持させる把持部と、その把持部に支持されて前記柱状物の外側面に向けて散水可能な散水口を有する散水装置とを備えたことを特徴とする請求項１乃至４のいずれか一項に記載のクローラ型走行装置。
【発明の詳細な説明】
【技術分野】
【０００１】
本発明は、柱や橋脚などの柱状物を昇降することが可能なクローラ型走行装置に関するものである。
【背景技術】
【０００２】
従来、地上から足場を組み立てることなく立木や電柱を昇降することができる柱状物の昇降装置が知られている（特許文献１参照）。この昇降装置は、径が途中で変化する立木や径の異なる立木に使用できるように、立木の外周面に周方向に間隔を置いて配置された４つの走行台車が、ゴムなどの弾性部材によって連結された構成となっている。
【０００３】
また、特許文献２，３には、建物の壁面などを走行させるために、クローラの履帯に吸着手段が装着された吸着走行装置が開示されている。これらの吸着走行装置では、真空ポンプによって吸着力を発生させる吸着パッドや磁石などの吸着手段を履帯に複数取り付けることで、壁面での姿勢を安定させるとともに、壁面に沿った移動を可能としている。
【先行技術文献】
【特許文献】
【０００４】
【特許文献１】特開２００７−１５９４８８号公報
【特許文献２】特公平６−４５３４７号公報
【特許文献３】特開２００９−１０７４１７号公報
【発明の概要】
【発明が解決しようとする課題】
【０００５】
しかしながら、特許文献１の昇降装置は、ゴムのような伸縮し易い連結材によって走行台車間を連結しているため、径が大きく変化する場合でも対応できるが、走行台車を柱状物の外周面に押し付ける押付け力を高めることが難しい。また、長方形断面などの柱状物では、短辺側に配置される走行台車と長辺側に配置される走行台車とでは押付け力が異なり、複数の走行台車を同じ速度で昇降させるのが難しい。
【０００６】
また、特許文献２，３に開示された吸着走行装置は、吸着パッドや磁石の吸着力だけで走行装置を保持させるため、重量が大きくなると吊りワイヤなどの補助手段が必要となる。
【０００７】
そこで、本発明は、重量が大きくなっても柱状物の外側面に沿った移動が可能なクローラ型走行装置を提供することを目的としている。
【課題を解決するための手段】
【０００８】
前記目的を達成するために、本発明のクローラ型走行装置は、柱状物の外側面に沿って移動するクローラ型走行装置であって、無限軌道となるように環状に形成される履帯と、前記履帯を周回させる駆動手段と、前記履帯に前記柱状物の外側面に当接可能な向きで取り付けられる複数の吸着手段とを有するとともに、前記柱状物を挟んで配置される一対のクローラ部と、前記クローラ部を前記柱状物に所定の力以上で押し付ける力を付与するとともに前記一対のクローラ部間を連結する連結部と、前記柱状物を囲繞するレール部を有するとともに前記一対のクローラ部に支持される架台部とを備えたことを特徴とする。
【０００９】
ここで、前記連結部は、２枚の長板を開閉軸によって回動自在に連結することで開閉可能となるＸ字状の本体部と、前記開閉軸の両側で前記本体部の開閉に合わせて伸縮するように付勢された状態で取り付けられるバネとを有するとともに、前記長板の一端は前記クローラ部の側面に固着され、かつ他端は前記クローラ部の側面に上下方向の位置を相対的に変化させることが可能な可動取付部によって接続される構成にすることができる。
【００１０】
また、前記吸着手段は、吸着パッドと、その吸着パッドの空気を吸引する真空ポンプとを有する構成にすることができる。
【００１１】
さらに、前記クローラ部には、前記吸着手段が前記柱状物の外側面に当接する位置に周回してきたときに、前記吸着手段が前記外側面から離間する方向への移動を制限するとともに、前記外側面と略平行な移動を誘導する反力ガイド部が設けられているのが好ましい。
【００１２】
また、前記クローラ部には、前記吸着手段が前記柱状物の外側面に当接する側に周回する際に、前記履帯の周回方向への回転よりも前記吸着手段の回転を促進させる接地角度調整機構を設けることもできる。
【００１３】
さらに、前記レール部の側面に当接される旋回用車輪を有する旋回駆動部と、前記旋回駆動部に取り付けられて前記レール部に沿って移動する旋回ユニットとを備えた構成にすることができる。
【００１４】
また、前記旋回ユニットは、帯状の繊維シートに水硬性樹脂を含浸又は塗布して乾燥させることで形成された補強シートが装着される装着部と、前記装着部から引き出された前記補強シートの両面に給水をおこなう給水部と、前記給水部を通過した前記補強シートを前記柱状物の外側面に押し付ける押付けローラとを有する構成にすることができる。さらに、前記旋回ユニットは、前記柱状物の外側面を撮影可能な撮像装置を有する構成であってもよい。
【００１５】
また、前記レール部を把持させる把持部と、その把持部に支持されて前記柱状物の外側面に向けて散水可能な散水口を有する散水装置とを備えた構成とすることもできる。
【発明の効果】
【００１６】
このように構成された本発明のクローラ型走行装置は、履帯に吸着手段が設けられた一対のクローラ部が、柱状物を挟んで配置される。そして、一対のクローラ部は、連結部によって押付け力が付与された状態で連結される。このように吸着手段の吸着力に押付け力が加わることによって、落下する力に対する抗力を高めることができる。
【００１７】
このため、クローラ型走行装置の重量や架台部に取り付ける資機材の重量が大きくなっても、安定した状態で柱状物の外側面に沿って移動させることができる。
【００１８】
また、一対のクローラ部を連結部によって連結するため、それぞれのクローラ部の柱状物の外側面に対する押付け力が均等になる。このため、２台のクローラ部の走行速度を容易に合わせることができる。
【００１９】
さらに、連結部を、本体部と伸縮可能な微調整部とで構成することによって、柱状物の外側面に凹凸があったり、寸法誤差があって均一断面になっていなかったりした場合でも、クローラ型走行装置を軸方向に移動させることができる。
【００２０】
また、吸着手段を吸着パッドと真空ポンプとによって構成することで、柱状物が鉄筋コンクリート構造物などの磁性体でなくても使用することができる。さらに、それぞれの吸着パッドに真空ポンプを設けることで、複数の吸着手段の吸着力をそれぞれ独立して発生させることができる。
【００２１】
また、吸着手段が柱状物の外側面に当接する位置に周回してきたときに吸着手段が外側面から離間する方向への移動を制限する反力ガイド部を設けることで、押付け力の低下を防ぐことができる。
【００２２】
さらに、吸着手段が柱状物の外側面に当接する側に周回する際に吸着手段の回転を促進させる接地角度調整機構を設けることによって、接地時の吸着手段の吸着面と外側面との交差角度を小さくすることができ、吸着手段の巻き込みによる吸着力の低下を防ぐことができる。
【００２３】
また、レール部に沿って走行する旋回駆動部に旋回ユニットを装着することによって、柱状物の全周に対して旋回ユニットを使った作業を施すことができる。
【００２４】
特に、水と接触することによって短時間で強度が発現する水硬性樹脂を含浸又は塗布して乾燥させた補強シートが装着される装着部と、その装着部から引き出された補強シートの両面に給水する給水部と、柱状物の外側面に補強シートを押し付ける押付けローラとを有する旋回ユニットを旋回駆動部に取り付けることによって、柱状物に容易に補強シートを巻き付けることができる。このため、地震によって柱や橋脚などが損傷した場合であっても、地上から足場などを組むことなく、補強シートによって早急に補修することができる。
【００２５】
さらに、撮像装置を有する旋回ユニットを使用することによって、柱状物の外側面の検査、作業状況の確認などを撮像装置の映像を通じて容易におこなうことができる。
【００２６】
また、レール部に散水装置を取り付けることによって、柱状物を軸方向に移動しながら外側面を洗浄するなどの作業を容易におこなうことができる。
【図面の簡単な説明】
【００２７】
【図１】本発明の実施の形態のクローラ型走行装置を説明する斜視図である。
【図２】クローラ型走行装置のクローラ部の構成を示した説明図である。
【図３】クローラ型走行装置の構成を説明する断面図である。
【図４】吸着手段の接地角度調整機構の動作を段階毎に説明する説明図である。
【図５】柱状物に補強シートを巻き付けるための旋回ユニットの構成を説明する斜視図である。
【図６】補強シートの装着部と給水部の構成を説明する斜視図である。
【図７】実施例の撮像装置を有する旋回ユニットを備えたクローラ型走行装置の構成を説明する斜視図である。
【図８】実施例の散水装置を備えたクローラ型走行装置の構成を説明する斜視図である。
【発明を実施するための形態】
【００２８】
以下、本発明の実施の形態について図面を参照して説明する。
【００２９】
図１，２は、本実施の形態のクローラ型走行装置としての昇降装置２の構成を説明する図である。この昇降装置２は、例えば、柱状物としての鉄筋コンクリート製のＲＣ柱１や橋脚などに、帯状の補強シート７０を巻き付けて補修や補強をおこなう際などに使用することができる。
【００３０】
すなわち、建物のＲＣ柱１などの外側面に対して、検査、洗浄、補修、補強などの作業をおこなうに際しては、高所作業が発生することになるため、通常は足場を組む必要がある。これに対して、この昇降装置２をＲＣ柱１の軸方向となる上下方向に移動させれば、足場を組まなくても高所の施工箇所に対して補強などをおこなうことができる。
【００３１】
この昇降装置２は、ＲＣ柱１を挟んで配置される一対のクローラ部３，３と、クローラ部３，３をＲＣ柱１に所定の力以上で押し付ける力を付与するとともに一対のクローラ部３，３間を連結する連結部４と、ＲＣ柱１を囲繞するレール部５１を有するとともに一対のクローラ部３，３に支持される架台部５とを主に備えている。
【００３２】
また、クローラ部３は、図１−３に示すように無限軌道となるように環状に形成される履帯３２と、履帯３２を周回させる駆動手段３１と、履帯３２にＲＣ柱１の外側面に当接可能な向きで取り付けられる複数の吸着手段３３，・・・とを主に備えている。さらに、図１に示すように、クローラ部３の両側面は、長方形の外殻板３６，３６によって覆われている。
【００３３】
この駆動手段３１は、図３に示すように、駆動モータ（図示省略）によって回転する回転軸３１２と、その回転軸３１２の両端に固定されるスプロケット３１１Ａ，３１１Ａとによって主に構成される。また、このスプロケット３１１Ａ，３１１Ａは、外殻板３６，３６に軸受けされている。
【００３４】
また、図２に示すように、クローラ部３の上部と下部にスプロケット３１１Ａ，３１１Ｂは配置される。なお、上部に配置されるスプロケット３１１Ａと下部に配置されるスプロケット３１１Ｂは、両方とも駆動モータに接続されて自転可能に構成されていてもよいし、片方のみが駆動モータに接続される構成であってもよい。
【００３５】
そして、このＲＣ柱１の軸方向に間隔を置いて配置されたスプロケット３１１Ａ，３１１Ｂ間に環状のチェーン３２１を掛け渡す。また、図２−４に示すように、このチェーン３２１に対して回転軸３１２に平行になるように複数の基板３２２，・・・を取り付ける。
【００３６】
この基板３２２は、図２に示すように正面視が略長方形の金属板であって、図３，４に示すように両側縁にチェーン３２１，３２１に固定するための取付片３２２ａ，３２２ａが延設されて平面視略コ字状に成形される。そして、２つの環状のチェーン３２１，３２１と、それらの間に平行に差し渡された複数の基板３２２，・・・・とによって無限軌道となる履帯３２が形成される。
【００３７】
また、この基板３２２には、複数の吸着手段３３，・・・を取り付ける。この吸着手段３３は、図３，４に示すように吸盤となる吸着パッド３３１と、その吸着パッド３３１の内部の空気を吸引する真空ポンプ３３２とによって主に構成される。
【００３８】
そして、この吸着パッド３３１の吸着面がＲＣ柱１の外側面に当接可能となる向きにして、吸着パッド３３１を基板３２２に固定する。また、この基板３２２には、図３，５に示すように複数の装着孔３３３，・・・が設けられており、真空ポンプ３３２を必要な数だけ装着することができる。すなわち、必要とされる吸引量と真空ポンプ３３２の規格に応じて、一つの吸着パッド３３１に対して必要な数だけ真空ポンプ３３２を取り付ける。
【００３９】
また、このクローラ部３は、吸着手段３３がＲＣ柱１の外側面に当接する側に周回する際に、履帯３２の周回方向への回転よりも吸着パッド３３１の回転を促進させて接地角度が緩やかになるように調整する接地角度調整機構３５が設けられている。
【００４０】
この接地角度調整機構３５を設けるために、上部と下部の回転軸３１２，３１２間に、図３，４に示すような長方形板状のガイド板３５１を掛け渡す。また、ガイド板３５１の端部には、回転軸３１２に係合させるための鉤部３５１ｂと、回転軸３１２よりも上方（又は下方）に突出する傾斜凸部３５１ａとが形成される。
【００４１】
さらに、基板３２２の背面からは、周回時に傾斜凸部３５１ａと当接可能となる突片３５２が突出される。また、基板３２２の取付片３２２ａには、中央に円形の中心孔３５３が穿孔されるとともに、その両側には中心孔３５３を中心とする円弧状の揺動孔３５４，３５４が穿孔される。
【００４２】
この中心孔３５３と揺動孔３５４，３５４には、チェーン３２１に固定されたピン３２１ａ，・・・がそれぞれ挿通され、基板３２２がチェーン３２１に取り付けられる。また、このようにしてチェーン３２１に取り付けられた基板３２２は、図４に示すように、揺動孔３５４，３５４の範囲内で揺動することができる。
【００４３】
続いて図４を参照しながら接地角度調整機構３５の動作について説明をする。まず、図４（ａ）に示すように、吸着手段３３が取り付けられた基板３２２は、スプロケット３１１Ａの右側を上昇し、ガイド板３５１の上端に差し掛かる。そして、突片３５２の左縁が傾斜凸部３５１ａの右縁に接触する。
【００４４】
さらにスプロケット３１１Ａが左回りに回転すると、図４（ｂ）に示すように、傾斜凸部３５１ａと突片３５２との接触によって基板３２２が左回りに傾くことになる。
【００４５】
また、傾斜凸部３５１ａの傾斜面はＲＣ柱１の外側面に向けて下がっているため、図４（ｃ）に示すように基板３２２は傾きを保ったままスプロケット３１１Ａの左側に移動し、吸着パッド３３１の先端がＲＣ柱１の外側面に接触する。そして、このときの吸着パッド３３１の吸着面と外側面との交差角度は、接地角度調整機構３５によって左回りの回転が促進されないときに比べて小さくなっている。すなわち、吸着面と外側面が平行に近い状態になった後に吸着パッド３３１の接地が起きる。このため、接地時に吸着パッド３３１の先端が折れ曲がって巻き込まれる状態になることを防ぐことができる。
【００４６】
なお、このような接地角度調整機構３５は、クローラ部３の履帯３２の周回方向を反転した場合にも機能するように、クローラ部３の下部にも設けておく。
【００４７】
また、ＲＣ柱１の外側面側に移動した基板３２２の背面には、図３に示すように外殻板３６の内面側に延伸された反力ガイド部としての反力レール３４が接触する。この基板３２２には、図示していないが反力レール３４と接触可能な位置に電極が設けられており、動力に使用される電力が供給される反力レール３４に電極が接触すると真空ポンプ３３２の吸引が始まり、クローラ部３の下部まで移動して基板３２２が反力レール３４から離れたときに真空ポンプ３３２の吸引が停止する構成となっている。
【００４８】
また、反力レール３４に基板３２２が接触することによって、吸着パッド３３１が外側面から離間する方向（外側面に略直交する方向）への移動が制限される。
【００４９】
さらに、図４に示すように、反力レール３４は、基板３２２が外側面と略平行に下降するためのガイドにもなる。このため、図示していないが、基板３２２又は反力レール３４のいずれかにローラを取り付けて円滑にスライドできるようにしてもよい。
【００５０】
一方、クローラ部３，３間は、図１に示すように連結部４によって連結される。この連結部４は、開閉軸４１ａを中心に開閉可能なＸ字状の本体部４１と、開閉軸４１ａの両側で本体部４１間を繋ぐ伸縮自在の微調整部４２，４２とを主に備えている。
【００５１】
この本体部４１は、２枚の重ねられた長板４１１，４１２の中心を、開閉軸４１ａによって回動自在に連結することによって構成される。すなわち、端部が固定されていない状態で本体部４１を閉じると水平線状に２枚の長板４１１，４１２は重なり、本体部４１を開くと垂直線状に２枚の長板４１１，４１２は重なることになる。
【００５２】
そして、図１に示すように、本体部４１の長板４１１，４１２の上端は、それぞれ両側のクローラ部３，３の外殻板３６，３６の一点の位置に、固定ボルト４１ｂ，４１ｂによって固着される。他方、長板４１１，４１２の下端は、外殻板３６，３６に対してそれぞれ上下方向の位置を相対的に変化させることが可能な可動取付部４１ｃ，４１ｃによって接続される。
【００５３】
また、２枚の長板４１１，４１２間は、バネを有する伸縮自在の微調整部４２，４２によって連結される。この微調整部４２は、本体部４１が外殻板３６，３６に固定ボルト４１ｂ，４１ｂと可動取付部４１ｃ，４１ｃを介して取り付けられたときには、本体部４１を開く力が常に付勢された状態となっている。ここで、本体部４１が開くとクローラ部３，３間の距離は短くなり、本体部４１を閉じるとクローラ部３，３間の距離は長くなる。
【００５４】
そして、連結部４は、可動取付部４１ｃ，４１ｃの可動範囲内で、ＲＣ柱１の凹凸に合わせてクローラ部３，３間の距離を変化させることできる。また、連結部４によって連結されているクローラ部３，３は、微調整部４２のバネの反発力によって所定の力以上でＲＣ柱１の外側面に押し付けられる。
【００５５】
また、クローラ部３，３の上部には、架台部５が取り付けられる。すなわち、架台部５は、４枚の外殻板３６，・・・によって下から支持される。さらに架台部５は、図１，５に示すように、ＲＣ柱１を囲繞する平面視円形のレール部５１を有している。
【００５６】
この架台部５は、クローラ部３，３がＲＣ柱１の外側面に沿って走行すると、それに伴って移動することになる。すなわち、クローラ部３，３がＲＣ柱１の軸方向の一つである上方に移動すると架台部５は上昇し、クローラ部３，３がＲＣ柱１のもう一つの軸方向である下方に移動すると架台部５は下降することになる。
【００５７】
そして、このレール部５１に沿って図１に示すように旋回駆動部６が移動する。この旋回駆動部６は、レール部５１の側面に走行面が当接される旋回用車輪６１と、その旋回用車輪６１を回転させる駆動モータ６２とによって主に構成される。
【００５８】
また、旋回駆動部６には、図１，５に示すように、旋回ユニットとしての巻付けユニット７を取り付ける。この巻付けユニット７は、ＲＣ柱１に補強シート７０を巻き付けるための旋回ユニットである。
【００５９】
この補強シート７０は、基材としての繊維シートに水硬性樹脂を含浸させて、乾燥させた状態で巻き取り可能に形成されている。この基材となる繊維シートには、帯状に成形された繊維シートが使用でき、例えばガラス繊維シート、炭素繊維シート、アラミド繊維シート、ビニロン繊維などが利用できる。また、水硬性樹脂には、例えば水硬性ポリウレタン樹脂が使用できる。
【００６０】
水硬性ポリウレタン樹脂は、水と接触すると反応して硬化する特性を有しており、濃度が高い方が引張強度は高くなるが、濃度が高いと発泡を起こすので、例えば樹脂の母材率が５０％〜７５％程度になるように希釈して使用する。
【００６１】
そして、繊維シートに、液状、ペースト状又はスラリー状の水硬性ポリウレタン樹脂を含浸又は塗布して、水硬性ポリウレタン樹脂が繊維の周囲を取り囲んだような状態にして乾燥させることで、補強シート７０を製作する。
【００６２】
また、巻付けユニット７は、この補強シート７０が円筒状に巻き取られて装着される装着部としてのカートリッジ７１と、カートリッジ７１から引き出された補強シート７０の両面に給水をおこなう給水部７２と、給水部７２を通過した補強シート７０をＲＣ柱１の外側面に押し付ける押付けローラ７３とを主に備えている。
【００６３】
また、給水部７２は、補助旋回部６３に配置される給水タンク７２３と、図６に示すように補強シート７０を挟むように並列される給水ローラ７２１，７２１と、給水タンク７２３と給水ローラ７２１，７２１とを繋ぐ給水ホース７２２とを主に備えている。
【００６４】
この給水タンク７２３は、架台部５上でのバランスを取るために、カートリッジ７１、給水ローラ７２１，７２１及び押付けローラ７３が配置される旋回駆動部６とはＲＣ柱１を挟んだ反対側に配置される。すなわち、旋回駆動部６がレール部５１を走行すると、それに伴って補助旋回部６３もレール部５１を同じ方向に走行することになる。ここで、双方の間隔が常に一定に保たれるように、図示しない連結バーなどで旋回駆動部６と補助旋回部６３とを繋いでおく。
【００６５】
また、給水タンク７２３から給水ホース７２２を介して水が供給される給水ローラ７２１，７２１は、補強シート７０の厚み程度の隙間を開けて回転可能に支持されている。
【００６６】
この給水ローラ７２１は、スポンジなどの吸水性及び保水性を備えた材料を円筒状に成形し、回転軸７２１ａに取り付けることで構成することができる。すなわち、給水ホース７２２から流れ出た水は、給水ローラ７２１に浸み込んだ後に、給水ローラ７２１，７２１間を通過する補強シート７０に付着することになる。なお、給水ローラ７２１，７２１の下方には、余浄水を受ける受け皿７２５が配置される。
【００６７】
また、給水ローラ７２１，７２１のカートリッジ７１側には、図６に示すように、補強シート７０を給水ローラ７２１，７２１間に導くための誘導ローラ７２４が設けられる。すなわち、カートリッジ７１から引き出された補強シート７０は、誘導ローラ７２４の周面に接触して給水ローラ７２１，７２１間に導かれ、両面に水が着いた状態で後方に引き出される。
【００６８】
そして、給水ローラ７２１，７２１から引き出された補強シート７０は、図５に示すように押付けローラ７３によってＲＣ柱１の外側面に押し付けられる。この押付けローラ７３は、旋回駆動部６からＲＣ柱１に向けて延設されるアーム７３１によって支持される。
【００６９】
このような巻付けユニット７を使って、旋回駆動部６をレール部５１に沿って走行させながらクローラ部３，３を徐々に下降させると、ＲＣ柱１に１本の補強シート７０が螺旋状に連続して巻き付けられる。
【００７０】
また、この際に必要となる動力は、クローラ部３，３を走行させる動力と、旋回駆動部６を走行させる動力であり、カートリッジ７１、給水ローラ７２１，７２１及び誘導ローラ７２４は、動力によって回転させなくても補強シート７０が引き出されるのに伴って回転する。
【００７１】
次に、本実施の形態の昇降装置２の作用について説明する。
【００７２】
このように構成された本実施の形態の昇降装置２は、履帯３２に吸着手段３３が設けられた一対のクローラ部３，３が、ＲＣ柱１を挟んで配置される。そして、一対のクローラ部３，３は、連結部４によって押付け力が付与された状態で連結される。このように吸着手段３３の吸着力に押付け力が加わることによって、昇降装置２が落下する方向の力に対する抗力を高めることができる。
【００７３】
このため、昇降装置２の自重や架台部５に取り付ける資機材の重量が大きくなっても、安定した状態でＲＣ柱１に沿って昇降装置２を昇降させることができる。そして、昇降装置２の架台部５に様々な作業ユニットを取り付けることによって、足場を地上から組まなくても高所作業をおこなうことができるようになる。また、足場を解体する作業も不要になるため工期を短縮できる。
【００７４】
さらに、この昇降装置２は、一対のクローラ部３，３を連結部４によって連結するため、それぞれのクローラ部３，３のＲＣ柱１の外側面に対する押付け力を均等にすることができる。すなわち、ＲＣ柱１を挟んで一対一でクローラ部３，３が配置され、連結部４によって直接、クローラ部３，３間が連結されるので、クローラ部３，３に作用する力が等しくなる。
【００７５】
そして、クローラ部３，３の外側面に対する押付け力が等しければ、クローラ部３，３が走行する速度を容易に合わせることができる。すなわち、クローラ部の押付け力が異なると摩擦抵抗が変化するため、駆動手段３１の回転速度が同じであっても走行速度が変化する。さらに、複数のクローラ部の走行速度が一定にならないと、架台部５が傾き、安定して作業をおこなうことが難しくなる。これに対して、クローラ部３，３の走行速度を容易に合わせることができれば、架台部５の水平を保ったまま昇降させることができる。
【００７６】
また、連結部４を、本体部４１と伸縮可能な微調整部４２，４２とで構成することによって、ＲＣ柱１の外側面に凹凸があったり、ＲＣ柱１の断面が軸方向の位置で多少、異なっていたりする場合でも、昇降装置２を昇降せることができる。
【００７７】
すなわち、クローラ部３，３間には、微調整部４２，４２のバネの反発力によって起きる距離を縮める方向の力が常に作用している。そして、昇降装置２が走行する外側面に凸部があってクローラ部３，３間が広がる方向の力が作用すると、本体部４１が閉じる方向に動いて微調整部４２，４２が縮む。これに対して、昇降装置２が走行する外側面に凹部があると、本体部４１が微調整部４２，４２のバネの反発力によって開く方向に動いて微調整部４２，４２が伸びる。このため、ＲＣ柱１に多少の凹凸などがあっても昇降装置２を昇降させることができる。なお、この本体部４１の開閉は、可動取付部４１ｃの可動範囲内で起きる。
【００７８】
さらに、吸着手段３３を吸着パッド３３１と真空ポンプ３３２とによって構成することで、ＲＣ柱１のように磁性体でない鉄筋コンクリート構造物に対しても昇降装置２を走行させることができる。
【００７９】
また、それぞれの吸着パッド３３１に対して個別に真空ポンプ３３２を繋ぐことで、複数の吸着手段３３，・・・の吸着力をそれぞれ独立して発生させることができる。
【００８０】
このため、例えばＲＣ柱１の外側面の目地や凹部に接地した一つの吸着パッド３３１の真空圧が下がって吸着力が低下しても、他の吸着手段３３，・・・の吸着力には影響がなく、昇降装置２全体として必要となる吸着力を常時、確保することができる。
【００８１】
さらに、吸着手段３３がＲＣ柱１の外側面に当接する位置に周回してきたときに吸着パッド３３１が外側面から離間する方向への移動を制限する反力レール３４を設けることで、押付け力の低下を防ぐことができる。すなわち、チェーン３２１，３２１に基板３２２，・・・を取り付けることによって構成された履帯３２は可撓性があるため、吸着手段３３の吸着力に対する反力を確保しにくい。これに対して、クローラ部３に反力レール３４を設けることで、吸着手段３３の吸着力に対する反力を確実に確保することができる。
【００８２】
さらに、吸着パッド３３１がＲＣ柱１の外側面に当接する側に周回する際に吸着手段３３の回転を促進させる接地角度調整機構３５を設けることによって、接地時の吸着パッド３３１の吸着面と外側面との交差角度を小さくすることができる。このため、吸着パッド３３１の先端が折れ曲がる巻き込みによって空気が漏れて、吸着力が低下するのを防ぐことができる。
【００８３】
また、このような接地角度調整機構３５を設けることによって、クローラ部３の長さを長くしなくても吸着パッド３３１の巻き込みを防ぐことができるので、クローラ部３が長大化して施工不能箇所が増加するのを抑えることができる。
【００８４】
さらに、レール部５１に沿って走行する旋回駆動部６に作業ユニットとしての旋回ユニットを装着することによって、ＲＣ柱１の全周に対して旋回ユニットを使った作業を施すことができる。
【００８５】
特に、水と接触することによって短時間で強度が発現する水硬性樹脂を含浸又は塗布して乾燥させた補強シート７０が装着されるカートリッジ７１と、そのカートリッジ７１から引き出された補強シート７０の両面に給水する給水ローラ７２１，７２１と、ＲＣ柱１の外側面に補強シート７０を押し付ける押付けローラ７３とを有する巻付けユニット７を装着することによって、ＲＣ柱１に容易に補強シート７０を巻き付けることができる。
【００８６】
このため、地震によってＲＣ柱１が損傷した場合であっても、地上から足場などを組むことなく、補強シート７０によって早急にＲＣ柱１を補修することができる。また、鉄道の営業路線に近接した場所で、施工時間や施工スペースの制限が厳しい場合であっても、昇降装置２を使うことによって迅速に作業をおこなうことができる。
【実施例】
【００８７】
以下、前記実施の形態で説明した昇降装置２に別の作業ユニットを装着する実施例について説明する。なお、前記実施の形態で説明した内容と同一乃至均等な部分の説明については同一符号を付して説明する。
【００８８】
この実施例では、まず、図７を参照しながら、旋回ユニットとしてのカメラユニット８を装着する場合について説明する。このカメラユニット８は、上記実施の形態で説明した旋回駆動部６に取り付けて使用する。
【００８９】
また、カメラユニット８は、ＲＣ柱１の外側面を撮影可能な撮像装置としてのカメラ８１と、撮影した映像を送信するための無線通信部８２とを主に備えている。
【００９０】
このカメラ８１は、静止画を撮影するカメラであっても、動画を撮影するビデオカメラであってもいずれでもよい。また、無線通信部８２は、外部のリモートコントローラ（図示省略）から送信される撮影の開始、終了、ピント合せなどの操作信号を受信するとともに、撮影した映像を外部モニタ又は記録装置に向けて送信する機能を有している。
【００９１】
このようにレール部５１を走行する旋回駆動部６にカメラユニット８を取り付けることで、ＲＣ柱１の全周を撮影することができる。また、昇降装置２を走行させてＲＣ柱１に沿って移動させることで、ＲＣ柱１の所望する高さの撮影をおこなうことができる。
【００９２】
このため、震災などによってＲＣ柱１が損傷した場合には、損傷箇所及び損傷の程度を確認することが容易にできる。また、定期検査などにおいてもカメラユニット８を使ってＲＣ柱１の任意の高さの外側面の状態を検査することができる。
【００９３】
さらに、巻付けユニット７に並設させることで、補強シート７０の巻き付け状態などの作業状況を地上にいながら確認することができる。
【００９４】
次に、図８を参照しながら、作業ユニットとしての散水ユニット９を装着する場合について説明する。この散水ユニット９は、レール部５１に沿って旋回させず、例えばＲＣ柱１の各側面に対して１つずつ取り付ける。
【００９５】
この散水ユニット９は、レール部５１を把持させる把持部９１と、その把持部９１の上部に取り付けられる台板９２と、その台板９２上に取り付けられる散水装置９３とを主に備えている。
【００９６】
この散水ユニット９は旋回しないため、把持部９１によってレール部５１の任意の箇所に固定される。また、散水装置９３には、水を供給するためのホース９３２が繋がれる。
【００９７】
さらに、散水装置９３には、ＲＣ柱１の外側面に向けて散水可能な散水口としての洗浄ノズル９３１，９３１が設けられている。この洗浄ノズル９３１は、例えば上下左右に首振りができる構成となっている。
【００９８】
このようにレール部５１に散水ユニット９を取り付けることによって、ＲＣ柱１を上昇又は下降しながら外側面の洗浄をおこなうことができる。例えば、震災などによってＲＣ柱１が損傷した場合に、まず、ＲＣ柱１の各面に対して１台ずつ配置されるように昇降装置２のレール部５１に散水ユニット９，・・・を取り付ける。続いて、クローラ部３，３を駆動させることで昇降装置２を上昇又は下降させ、散水ユニット９の洗浄ノズル９３１からＲＣ柱１の外側面に水を吹き付けることで洗浄をおこなう。
【００９９】
また、洗浄に使用する水は、ホース９３２から供給されるため、架台部５の上載荷重を減らすことができる。さらに、散水ユニット９はレール部５１を旋回しないため、ホース９３２が絡まることがない。そして、ＲＣ柱１の外側面が水で濡れることによって、吸着パッド３３１の吸着力が増加することになって、走行安定性が向上することになる。
【０１００】
続いて、レール部５１に旋回駆動部６を装着し、その上にカメラユニット８を取り付ける。そして、昇降装置２を上昇又は下降させながら旋回駆動部６を走行させ、ＲＣ柱１の全周を軸方向に移動しながら撮影する。
【０１０１】
このようにしてＲＣ柱１の損傷の程度を確認し、補強対象箇所を決める。そして、旋回駆動部６のカメラユニット８を巻付けユニット７に取り替える。また、旋回駆動部６のＲＣ柱１を挟んだ反対側には補助旋回部６３を取り付け、その上に給水タンク７２３を載せる。
【０１０２】
続いて、昇降装置２をＲＣ柱１に沿って上昇させ、補強対象箇所の上方まで移動させる。そして、補強シート７０の端部をＲＣ柱１の外側面に固定し、旋回駆動部６をレール部５１に沿って走行させる。
【０１０３】
ここで、旋回駆動部６が走行し始めると、補強シート７０を引っ張る力が発生し、その張力が所定の大きさ以上になるとカートリッジ７１が回転して補強シート７０が引き出される。
【０１０４】
そして、カートリッジ７１から引き出された補強シート７０は、誘導ローラ７２４によって給水ローラ７２１，７２１間に導かれ、その間を通過する際に給水ローラ７２１，７２１から水分が転移する。
【０１０５】
このようにして水が両面に付着した補強シート７０は、給水ローラ７２１，７２１間から送り出されて押付けローラ７３によってＲＣ柱１の外側面に押し付けられる。また、水が付着した補強シート７０は、短時間で水硬性ポリウレタン樹脂が硬化して強度が発現し、ＲＣ柱１の外側面に接合される。
【０１０６】
このような巻付けユニット７による補強シート７０の巻き付けは、昇降装置２を停止させた状態でおこなえば一重の環状になり、昇降装置２を下降させながらおこなえば螺旋状になる。また、昇降装置２の上部で補強シート７０の巻き付けをおこない、昇降装置２を下降させるのであれば、ＲＣ柱１に巻き付けた補強シート７０上をクローラ部３，３が走行することがないので、補強シート７０の損傷を防ぐことができる。
【０１０７】
なお、他の構成及び作用効果については、前記実施の形態と略同様であるので説明を省略する。
【０１０８】
以上、図面を参照して、本発明の実施の形態を詳述してきたが、具体的な構成は、この実施の形態及び実施例に限らず、本発明の要旨を逸脱しない程度の設計的変更は、本発明に含まれる。
【０１０９】
例えば、前記実施の形態及び実施例では、断面四角形のＲＣ柱１に沿って昇降装置２を走行させる場合について説明したが、これに限定されるものではなく、橋脚、電柱、煙突など様々な柱状物を走行させることができる。また、柱状物は斜めになっていてもよい。
【０１１０】
また、前記実施の形態及び実施例では、吸着パッド３３１と真空ポンプ３３２とによって吸着手段３３を構成したが、これに限定されるものではなく、柱状物が鉄塔などの磁性体であれば磁石を使って吸着手段を構成することができる。
【０１１１】
さらに、前記実施の形態及び実施例では、パンタグラフ型の連結部４について説明したが、これに限定されるものではなく、長さ調整及び締付けが可能なネジ付き鋼棒を使って連結部を構成することができる。また、ネジ付き鋼棒の一部をバネに置き換えて微調整部にすることもできる。
【０１１２】
また、前記実施の形態及び実施例では、外殻板３６，３６でクローラ部３を覆い、外殻板３６，３６間を連結部４で繋いだが、これに限定されるものではなく、クローラ部のシャーシに連結部を接続し、シャーシから架台部５に向けて連結アームを延伸させる構成であってもよい。
【０１１３】
さらに、前記実施の形態及び実施例では、平面視円形のレール部５１について説明したが、これに限定されるものではなく、平面視楕円や角が曲線状になった平面視四角形状のレール部であってもよい。
【０１１４】
また、前記実施の形態及び実施例では、架台部５を昇降装置２の上部に設けたが、これに限定されるものではなく、架台部５を昇降装置２の下部に設けることもできる。
【０１１５】
さらに、前記実施の形態及び実施例では、作業ユニットとして巻付けユニット７、カメラユニット８及び散水ユニット９について説明したが、これに限定されるものではなく、モルタルなどを吹き付けるための吹付けユニット、塗料を吹き付けるための塗装ユニットなどを製作することもできる。
【符号の説明】
【０１１６】
１              ＲＣ柱（柱状物）
２              昇降装置（クローラ型走行装置）
３              クローラ部
３１            駆動手段
３２            履帯
３３            吸着手段
３３１          吸着パッド
３３２          真空ポンプ
３４            反力レール（反力ガイド部）
３５            接地角度調整機構
４              連結部
４１            本体部
４２            微調整部
５              架台部
５１            レール部
６              旋回駆動部
７              巻付けユニット（旋回ユニット）
７０            補強シート
７１            カートリッジ（装着部）
７２            給水部
７３            押付けローラ
８              カメラユニット（旋回ユニット）
８１            カメラ（撮像装置）
９              散水ユニット
９１            把持部
９３            散水装置
９３１          洗浄ノズル（散水口）
【図１】
0005582860.tif 000002
【図２】
0005582860.tif 000003
【図３】
0005582860.tif 000004
【図４】
0005582860.tif 000005
【図５】
0005582860.tif 000006
【図６】
0005582860.tif 000007
【図７】
0005582860.tif 000008
【図８】
0005582860.tif 000009